(57)【要約】【課題】グレインを使用する時、容易に堆積できる機能が得られるだけでなく、作製する時、容易に設計や管理でき、また、フォトマスクを共用することができるチップレイアウト構造を提供する。【解決手段】少なくとも、表面と裏面及び側面を有するグレインと、それぞれ、グレインの表面と裏面に設けられ、少なくとも、一つの非伝導接点と多数の伝導接点が備えられる多数の接点と、グレイン表面から、側面を経由して、裏面まで回って、各伝導接点を電気的に接続する多数の伝導ユニットと、が含有される。【選択図】図１
0003159031.tif 000002
【実用新案登録請求の範囲】
【請求項１】
少なくとも、表面と裏面及び側面を有するグレインと、
それぞれ、グレインの表面と裏面に設けられ、少なくとも、一つの非伝導接点と多数の伝導接点が備えられる多数の接点と、
グレイン表面から、側面を経由して、裏面まで回って、各伝導接点を電気的に接続する多数の伝導ユニットと、
が含有される、ことを特徴とするチップレイアウト構造。
【請求項２】
上記グレインの表面に設置された各接点は、一番目の接点が、非伝導接点として、定義され、残りの接点が、伝導接点として、定義されることを特徴とする請求項１に記載のチップレイアウト構造。
【請求項３】
各伝導ユニットは、少なくとも、表面導体と裏面導体及び側面伝導部が含まれ、上記表面導体が、斜めに、グレインの表面に設置され、上記裏面導体が、グレインの裏面に設置され、また、上記側面伝導部が、グレインの側面に設置されて、上記表面導体と裏面導体とを接続することを特徴とする請求項１に記載のチップレイアウト構造。
【考案の詳細な説明】
【技術分野】
【０００１】
本考案は、チップレイアウト構造に関し、特に、グレインを使用する時、容易に堆積できる機能が得られるだけでなく、作製する時、容易に設計や管理でき、また、フォトマスクを共用することができるものに関する。
【背景技術】
【０００２】
一般の、従来のチップは、レイアウトする時、異なる接点やレイアウトに応じて、多数の異なる構造形態であるフォトマスクを利用して、一つのチップの表面や裏面に、多数の配線領域を成形し、これにより、チップの接点と配線レイアウトが実現されて、多数のチップを堆積して使用することができ、或いは、他の方式で利用することができる。
【０００３】
しかしながら、上記の従来のチップは、レイアウトされた後、多数のチップは、接点と配線領域を利用して、堆積されて使用され、堆積される時、各チップを重ね合った後、多数の導線により、各チップの縁に、跨るように設置され、各チップ上の各接点を接続し、そのため、チップを堆積して使用する時、チップに適用できるシステム設計が制限されて、堆積統合が容易ではなく、また、上記チップは、多数の異なる構造形態であるフォトマスクを利用して、チップの表面と裏面に、各接点に合わせて多数の配線領域が成形され、チップのレイアウトの時、各フォトマスクを、共用できないため、異なるフォトマスクに対して、別々に設計を行い、また、上記多数のフォトマスクを管理することにも、不便がある。
【０００４】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００５】
本考案の主な目的は、グレインを使用する時、容易に堆積できる機能が得られるチップレイアウト構造を提供する。
【０００６】
本考案の他の目的は、作製する時、容易に設計や管理でき、また、フォトマスクを共用することができるチップレイアウト構造を提供する。
【課題を解決するための手段】
【０００７】
本考案は、上記の目的を達成するために、チップレイアウト構造であり、少なくとも、表面と裏面及び側面を有するグレインと、少なくとも、一つの非伝導接点と多数の伝導接点が備えられ、それぞれ、ウェーハの表面と裏面に設置された多数の接点と、グレイン表面から、側面を経由して、裏面まで回って、各伝導接点を電気的に接続する多数の伝導ユニットと、が含有される。
【図面の簡単な説明】
【０００８】
【図１】本考案の立体外観概念図
【図２】本考案の他の角度の立体外観概念図
【図３】本考案の堆積状態概念図
【図４】本考案の使用状態概念図
【考案を実施するための最良の形態】
【０００９】
以下、図面を参照しながら、本考案の特徴や技術内容について、詳しく説明するが、それらの図面等は、参考や説明のためであり、本考案は、それによって制限されることが無い。
【００１０】
図１と図２は、それぞれ、本考案の立体外観概念図と本考案の他の角度の立体外観概念図である。図のように、本考案は、チップレイアウト構造であり、少なくとも、グレイン１と多数の接点２及び多数の伝導ユニット３から構成される。上記のグレイン１は、少なくとも、表面１１と裏面１２及び側面１３が備えられる。
【００１１】
各接点２、２aは、それぞれ、グレイン１の表面１１と裏面１２に設置され、上記表面１１と裏面１２上の各接点２、２aは、少なくとも、一つの非伝導接点２１、２１aと多数の伝導接点２２、２２aが含有され、その中、上記表面１１に設置された各接点２は、その一番目の接点が、非伝導接点２１として定義され、残りの接点が、伝導接点２２として定義され、上記裏面１２に設置された各接点２は、最後の接点が、非伝導接点２１aとして定義され、残りの接点が、伝導接点２２aとして、定義される。
【００１２】
各伝導ユニット３は、グレイン１の表面１１から、側面１３を経由して、裏面１２まで回って、各伝導接点２２、２２aを電気的に接続し、その中、各伝導ユニット３は、少なくとも、表面導体３１と裏面導体３２及び側面伝導部３３が含まれ、上記表面導体３１が、斜めに、グレイン１の表面１１に設置され、上記裏面導体３２が、グレイン１の裏面１２に設置され、上記側面伝導部３３が、グレイン１の側面１３に設置されて、上記表面導体３１と裏面導体３２とを接続し、また、各伝導ユニット３は、フォトマスクにより成形された導線であり、そして、各グレイン１上の各接点２と伝導ユニット３とが、同じ位置に設置されて、同じ形態であるため、グレイン１を作製する時、容易に設計や管理でき、また、フォトマスクを共用して、伝導ユニット３を成形することができ、各伝導ユニット３と各伝導接点２２、２２aとを接続する時、伝導ユニット３により、グレイン１の表面１１にある二番目の伝導接点２２とグレイン１の裏面１２にある一番目の伝導接点２２aとを接続し、また、表面１１にある三番目の伝導接点２２と裏面１２にある二番目の伝導接点２２aと接続し、このように接続すると、表面１１と裏面１２にある各非伝導接点２１、２１aが、接続されることない。これにより、上記の構造により、新規のチップレイアウト構造が構成される。
【００１３】
図３と図４は、それぞれ、本考案の堆積状態概念図と本考案の使用状態概念図である。図のように、本考案によれば、多数のグレイン１を堆積し、各グレイン１表面１１と裏面１２にある各接点２、２aが、互いに接触して伝導することができるようになり、各グレイン１が、各伝導接点２２を利用し、伝導ユニット３に合わせて堆積したことにより、接続されて伝導され、また、最上層（或いは、任意層のグレイン１）のグレイン１に、更に、各グレイン１の操作制御のための制御回路基板４が接続され、本実施例において、最上層のグレイン１にある二番目の伝導接点２２と、三番目の伝導接点２２及び四番目の伝導接点２２を利用して、伝導ユニット３に合わせて、それぞれ、二層目のグレイン１と三層目のグレイン１及び四層目のグレイン１を制御でき、そして、最上層のグレイン１にある非伝導接点２１を利用して、単一のグレイン１にある側面伝導部３３が伝導しているかをテストし、これにより、各グレイン１を利用する場合、容易に堆積できる機能が発揮でき、また、ジャンパー線構造（図に未表示）を省略できる。
【００１４】
以上のように、本考案に係るチップレイアウト構造は、有効に上記欠点を解消でき、設計が合理であり、また、管理が便利的で、フォトマスクを共用することができる利点が得られる。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００１７】
１    グレイン
１１  表面
１２  裏面
１３  側面
２、２a  接点
２１、２１a  非伝導接点
２２、２２a  伝導接点
３  伝導ユニット
３１  表面導体
３２  裏面導体
３３  側面伝導部
４  制御回路基板
【図１】
0003159031.tif 000003
【図２】
0003159031.tif 000004
【図３】
0003159031.tif 000005
【図４】
0003159031.tif 000006